(57)【要約】【課題】  簡単に着脱し、かつ、安全性を向上させるとともに、部外者の昇降を確実に防止する。【解決手段】  ステップ部材５をステップ支持具６に取り付ける際には、上方から基板８を収納支持部１４へ挿入して収納する。ステップ部材５がステップ支持具６に取り付けられている時には、正面部１５及び底部１７が、基板８を抑えるとともに、側部１６が基板８の側方への変位を規制して、例えば、昇降ステップ９にかかる荷重に抗して、ステップ部材５を支持する。ステップ部材５をステップ支持具６から取り外すときには、ステップ部材５を上方へ持ち上げて、基板８を収納支持部１４から引き抜く。【選択図】  図１
2010166645.tif 000002
【特許請求の範囲】
【請求項１】
足場としてのステップを構造物に着脱自在に取り付けるためのステップ着脱構造であって、
前記ステップを有するステップ部材が、前記構造物に取り付けられたステップ支持手段に、着脱自在に取り付けられ、
前記ステップ部材は、基体と、前記基体に突設された前記ステップとを有し、前記ステップ支持手段は、前記構造物に取り付けられる取付け部と、前記基体を収納した状態で支持する収納支持部とを有している
ことを特徴とするステップ着脱構造。
【請求項２】
前記基体は、板状部材からなり、前記収納支持部は、前記基体を挿抜するための開口と、前記ステップとの干渉を避けるための切欠き部とが形成され、前記基体に対応した寸法の内部空間を有する箱形部材からなっていることを特徴とする請求項１に記載のステップ着脱構造。
【請求項３】
前記ステップ支持手段は、前記構造物に形成された係止部に係止されて当該ステップ支持手段を前記構造物に取り付けるための被係止部を有していることを特徴とする請求項１又は２に記載のステップ着脱構造。
【請求項４】
足場としてのステップを構造物に着脱自在に取り付けるためのステップ着脱方法であって、
前記構造物にステップ支持手段を取り付ける第１の工程と、前記ステップ支持手段に、基体と、前記基体に突設された前記ステップを有するステップ部材を取り付ける第２の工程と、前記ステップ支持手段から、前記ステップ部材を取り外す第３の工程とを含み、
前記第１の工程では、前記構造物に取り付けられる取付け部と、前記基体を収納した状態で支持する収納支持部とを有する前記ステップ支持手段を、前記取付け部を介して前記構造物に取り付け、
前記第２の工程では、前記収納支持部に前記基体を挿入して、前記ステップ支持手段に、前記ステップ部材を取り付け、
前記第３の工程では、前記収納支持部から前記基体を引き抜いて、前記ステップ支持手段から、前記ステップ部材を取り外すことを特徴とするステップ着脱方法。
【発明の詳細な説明】
【技術分野】
【０００１】
この発明は、例えば、鉄塔等の構造物に昇降ステップを着脱自在に取り付けるためのステップ着脱構造及びステップ着脱方法に関する。
【背景技術】
【０００２】
従来より、送電線等が取り付けられる鉄塔には、保守点検等を行う際に、作業者が昇降するためのステップボルトが取り付けられている。ただ、作業者等の関係者以外の部外者の昇降塔を防ぐために、地表略２ｍ以下の高さの部位は、ステップボルトは、常時取り外されており、鉄塔上部での作業の都度、携帯したステップボルトを取り付けて、作業者が昇降し、作業終了後に、取り外すこととしている。
【０００３】
しかしながら、ナット等の固定具を用いて、ステップボルトを鉄塔の主柱材に固定する必要があり、取付け時及び取外し時に手間がかかるという問題がある。また、作業を急ぐ場合等に、固定具による十分な締付けがなされず、締付けが弱かったり、締付けが緩む虞があり、ステップボルトに荷重がかかった場合に、例えば、ステップボルトが斜めに傾いて作業員が足を滑らせて怪我を負う事態が起こる可能性があり、安全性を確保することが困難であるという問題がある。
【０００４】
このため、ステップボルトに抜止め用の爪を出没自在に設けて、主柱材のボルト挿通孔にステップボルトを差し込んだ際に爪を突出させ、爪と位置決め用のナットとで主柱材を挟むことで固定する技術が提案されている（例えば、特許文献１参照。）。また、予め、主柱材に、ステップを係止するステップ係止ボルトを取り付けておき、作業時に、平坦面を備えたステップをステップ係止ボルトに取り付ける技術が提案されている（例えば、特許文献２参照。）。
【先行技術文献】
【特許文献】
【０００５】
【特許文献１】特開２００６−６３６０５号公報
【特許文献２】特開２００７−１７７４７３号公報
【発明の概要】
【発明が解決しようとする課題】
【０００６】
しかし、上記従来技術においては、例えば、特許文献１に記載された技術では、十分な強度が得られず、安全性を確保することが困難であるという問題がある。また、例えば、特許文献２に記載された技術では、ステップ係止ボルトを用いて部外者が昇降可能となるという問題がある。
【０００７】
この発明は、前記の課題を解決し、簡単に着脱し、かつ、安全性を向上させることができるとともに、部外者の昇降を確実に防止することができるステップ着脱構造及びステップ着脱方法を提供することを目的としている。
【課題を解決するための手段】
【０００８】
前記の課題を解決するために、請求項１の発明は、足場としてのステップを構造物に着脱自在に取り付けるためのステップ着脱構造であって、前記ステップを有するステップ部材が、前記構造物に取り付けられたステップ支持手段に、着脱自在に取り付けられ、前記ステップ部材は、基体と、前記基体に突設された前記ステップとを有し、前記ステップ支持手段は、前記構造物に取り付けられる取付け部と、前記基体を収納した状態で支持する収納支持部とを有していることを特徴としている。
【０００９】
請求項１の発明では、ステップ部材は、基体と、基体に突設されたステップとを有し、ステップ支持手段は、構造物に取り付けられる取付け部と、基体を収納した状態で支持する収納支持部とを有し、ステップ支持手段が、構造物に取付け部を介して取り付けられ、基体が収納支持部に収納された状態で、ステップ部材がステップ支持手段に取り付けられる。
【００１０】
請求項２の発明は、請求項１に記載のステップ着脱構造であって、前記基体は、板状部材からなり、前記収納支持部は、前記基体を挿抜するための開口と、前記ステップとの干渉を避けるための切欠き部とが形成され、前記基体に対応した寸法の内部空間を有する箱形部材からなっていることを特徴としている。
【００１１】
請求項３の発明は、請求項１又は２に記載のステップ着脱構造であって、前記ステップ支持手段は、前記構造物に形成された係止部に係止されて当該ステップ支持手段を前記構造物に取り付けるための被係止部を有していることを特徴としている。
【００１２】
請求項４の発明は、足場としてのステップを構造物に着脱自在に取り付けるためのステップ着脱方法であって、前記構造物にステップ支持手段を取り付ける第１の工程と、前記ステップ支持手段に、基体と、前記基体に突設された前記ステップを有するステップ部材を取り付ける第２の工程と、前記ステップ支持手段から、前記ステップ部材を取り外す第３の工程とを含み、前記第１の工程では、前記構造物に取り付けられる取付け部と、前記基体を収納した状態で支持する収納支持部とを有する前記ステップ支持手段を、前記取付け部を介して前記構造物に取り付け、前記第２の工程では、前記収納支持部に前記基体を挿入して、前記ステップ支持手段に、前記ステップ部材を取り付け、前記第３の工程では、前記収納支持部から前記基体を引き抜いて、前記ステップ支持手段から、前記ステップ部材を取り外すことを特徴としている。
【発明の効果】
【００１３】
請求項１の発明によれば、ステップ部材は、基体と、基体に突設されたステップとを有し、ステップ支持手段は、構造物に取り付けられる取付け部と、基体を収納した状態で支持する収納支持部とを有し、ステップ支持手段が、構造物に取付け部を介して取り付けられ、基体が収納支持部に収納された状態で、ステップ部材がステップ支持手段に取り付けられるので、簡単に着脱し、かつ、安全性を向上させることができるとともに、例えば、ステップ部材を持たぬ者の構造物への昇降を確実に防止することができる。
【００１４】
請求項２の発明によれば、収納支持部は、基体を挿抜するための開口と切欠き部とを有しているので、基体を収納支持部に対して容易に挿抜して、ステップ部材をステップ支持手段に対して簡単に着脱することができる。
【００１５】
請求項３の発明によれば、ステップ支持手段は、被係止部を有しているので、構造物に対して簡単に着脱でき、例えば、ステップ部材及びステップ支持手段を持たぬ者の構造物への昇降を確実に防止することができる。
【００１６】
請求項４の発明によれば、ステップ支持手段が、構造物に取付け部を介して取り付けられ、基体が収納支持部に収納された状態で、ステップ部材がステップ支持手段に取り付けられるので、簡単に着脱し、かつ、安全性を向上させることができるとともに、例えば、ステップ部材を持たぬ者の構造物への昇降を確実に防止することができる。
【図面の簡単な説明】
【００１７】
【図１】この発明の実施の形態１による昇降ステップ着脱構造の構成を示す斜視図である。
【図２】図１のＡ―Ａ線に沿った断面図である。
【図３】図１のＢ―Ｂ線に沿った断面図である。
【図４】同昇降ステップ着脱構造のステップ部材がステップ支持具を介して取り付けられる鉄塔の構成を一部破断して示す図である。
【図５】図４のＣ部を拡大して示す拡大図である。
【図６】同ステップ部材の同ステップ支持具に対する着脱方法を説明するための分解斜視図である。
【図７】この発明の実施の形態２による昇降ステップ着脱構造の構成を示す正面図である。
【図８】図７のＤ―Ｄ線に沿った断面図である。
【図９】図７のＥ―Ｅ線に沿った断面図である。
【図１０】この発明の実施の形態３による昇降ステップ着脱構造の構成を示す分解斜視図である。
【図１１】この発明の実施の形態１の変形例による昇降ステップ着脱構造の構成を示す正面図である。
【図１２】図１１のＦ−Ｆ線に沿った断面図である。
【発明を実施するための形態】
【００１８】
次に、この発明の実施の形態について、図面を用いて詳しく説明する。
【００１９】
（実施の形態１）
図１は、この発明の実施の形態１による昇降ステップ着脱構造の構成を示す斜視図、図２は、図１のＡ―Ａ線に沿った断面図、図３は、図１のＢ―Ｂ線に沿った断面図、図４は、同昇降ステップ着脱構造のステップ部材がステップ支持具を介して取り付けられる鉄塔の構成を一部破断して示す図、図５は、図４のＣ部を拡大して示す拡大図、図６は、同ステップ部材の同ステップ支持具に対する着脱方法を説明するための分解斜視図である。
【００２０】
図１、図４及び図５に示すように、送電線等が取り付けられる鉄塔１を構成する塔脚としての主柱材２の下部には、ステップ部材５が、ステップ支持具６を介して着脱自在に取り付けられる。ステップ支持具６は、図４に示すように、地表から所定の高さ（例えば、略２ｍ）までの間の主柱材２に固定され、図５に示すように、例えば山形鋼からなる主柱材２の互いに略直交する両片板部３，４に、長さ方向に沿って所定の間隔（例えば、略４５０ｍｍ）Ｈ０で千鳥足状に左右で交互に高さを違えて配置される。
【００２１】
この実施の形態の昇降ステップ着脱構造７は、図１に示すように、主柱材２に固定されたステップ支持具６の収納支持部１４に、ステップ部材５の基板８が上方から挿入可能とされ、かつ、上方へ引抜可能とされることで、ステップ部材５がステップ支持具６に対して着脱自在となるように取り付けられるとともに、取り付けられた状態では、収納支持部１４に基板８が収納されて、例えば、昇降ステップ９にかかる荷重に抗してステップ部材５が支持されるように概略構成されている。
【００２２】
ステップ部材５は、図１乃至図３に示すように、例えば、略矩形状の平板からなる基板８と、基板８の上部から立設され、所定の外径（例えば、略１５ｍｍ）及び長さ（例えば、略１５０ｍｍ〜略２００ｍｍ）の棒状部材からなる昇降ステップ９と、基板８の下部と昇降ステップ９の先端部との間に掛け渡され、昇降ステップ９を支持する棒状部材からなる補強支持部１１とを有している。ここで、基板８と昇降ステップ９、基板８及び昇降ステップ９と補強支持部１１とは、例えば溶接等により接合されている。
【００２３】
また、ステップ支持具６は、図１乃至図３に示すように、主柱材２に固定される固定板１３と、基板８が収納され、ステップ部材５を支持する収納支持部１４とが一体化されて、概略構成されている。固定板１３は、上部にボルトＭ１が挿通される挿通孔１３ａが形成され、挿通孔１３ａと、主柱材２の例えば片板部３に形成された挿通孔３ａとにボルトＭ１が挿通された状態で、ボルトＭ１の軸部の雄ねじ部とナットＭ２の雌ねじ部との螺合によって締め付けられ、主柱材２に固定される。収納支持部１４は、上部に開口が形成された外形薄型直方体の箱形形状を呈し、正面部１５と、側部１６と、底部１７とを有している。正面部１５には、昇降ステップ９及び補強支持部１１との干渉を避けるための切欠き部１５ａが形成されている。
【００２４】
収納支持部１４は、基板８に対応した寸法及び形状に成形され、基板８が収納可能な程度の容積を有している。収納支持部１４は、上部に開口が設けられ、かつ、正面部１５に切欠き部１５ａが形成されていることで、基板８が上方から挿入可能とされ、かつ、上方へ引抜可能とされ、着脱自在な構造とされている。ステップ部材５が装着されている状態では、正面部１５及び底部１７が、基板８を抑えるとともに、側部１６が基板８の側方への変位を規制して、例えば、昇降ステップ９にかかる荷重に抗して、ステップ部材５を支持する。ここで、特に、基板８と正面部１５とは、比較的大きな接触面積で、接触するので、強度の向上に寄与する。
【００２５】
次に、図６を用いて、ステップ部材５のステップ支持具６への取付方法及びステップ部材５のステップ支持具６からの取外方法（すなわち、着脱方法）について説明する。図６に示すように、この実施の形態では、ステップ支持具６は、予め主柱材２の下部に取り付けられる。保守作業時等には、作業員は、携行しているステップ部材５を、ステップ支持具６に取り付けてから、鉄塔１に昇る。ステップ部材５をステップ支持具６に取り付ける際には、上方から基板８を収納支持部１４へ挿入して収納する。ステップ支持具６の収納支持部１４には、上部に開口が設けられ、かつ、正面部１５に切欠き部１５ａが形成されていることで、基板８が上方から容易に挿入可能とされている。
【００２６】
このように、基板８を収納支持部１４へ挿入して収納するのみで、ステップ部材５のステップ支持具６への取付けが完了する。ステップ部材５がステップ支持具６に取り付けられている時には、正面部１５及び底部１７が、基板８を抑えるとともに、側部１６が基板８の側方への変位を規制して、例えば、昇降ステップ９にかかる荷重に抗して、ステップ部材５を支持する。
【００２７】
作業員が保守作業等を終えて、鉄塔１を降りる場合に、ステップ部材５をステップ支持具６から取り外すときには、ステップ部材５を上方へ持ち上げて、基板８を収納支持部１４から引き抜く。このように、基板８を収納支持部１４から引き抜くのみで、ステップ部材５のステップ支持具６からの取外しが完了する。作業員は、引き抜いたステップ部材５を携行して持ち帰る。
【００２８】
こうして、この実施の形態の構成によれば、基板８を収納支持部１４へ挿入して収納するのみで、ステップ部材５のステップ支持具６への取付けが完了し、また、基板８を収納支持部１４から引き抜くのみで、ステップ部材５のステップ支持具６からの取外しが完了するため、ボルトやナット等の固定具を用いて締め付けて、固定する必要がなくなるので、簡単かつ迅速にステップ部材５を着脱することができる。
【００２９】
また、ステップ部材５が装着されている状態では、正面部１５及び底部１７が、基板８を抑えるとともに、側部１６が基板８の側方への変位を規制して、例えば、昇降ステップ９にかかる荷重に抗して、ステップ部材５を支持するので、荷重がかかったときに、昇降ステップ９が傾く等のステップ部材５の変位を抑えることができ、かつ、ボルトやナット等の固定具を用いないので、取付不具合等を防止することができ、安全性を向上させることができる。同時に、ステップ支持具６の収納支持部１４を、外形薄型直方体の箱形形状とすることによって、部外者の鉄塔１への昇降を防止することができる。
【００３０】
また、部品点数を減らすことができるので、部品の落下等による紛失を防止することができる。また、補強支持部１１を設けて昇降ステップ９を支持するので、安全強度を一段と向上させることができる。また、主柱材２に形成した既存の挿通孔３ａ等を用いて、ステップ支持具６を主柱材２に取り付けることができるので、鉄塔１を新設する場合のほか、従来の鉄塔１にも適用することができる。
【００３１】
（実施の形態２）
図７は、この発明の実施の形態２による昇降ステップ着脱構造の構成を示す正面図、図８は、図７のＤ―Ｄ線に沿った断面図、図９は、図７のＥ―Ｅ線に沿った断面図である。この実施の形態の構成が上述した実施の形態１の構成と大きく異なるところは、ステップ支持具を、固定具を用いることなく主柱材に対して着脱自在に構成した点である。
【００３２】
図７乃至図９に示すように、この実施の形態のステップ支持具２１は、主柱材２に取り付けられる取付け板２２と、ステップ部材５の基板８が収納され、ステップ部材５を支持する収納支持部２３と、収納支持部２３の側方に延設され、主柱材２のそれぞれ片板部４の頂部側の外面及び片板部３の端部を抑える抑え部２４，２５と、取付け板２２の裏面側に鉤状に形成され、係止部を構成する片板部３の挿通孔３ａに挿通されて係止されステップ支持具２１を主柱材２に取り付けるための被係止部２６とが一体化されて概略構成されている。
【００３３】
収納支持部２３は、上部に開口が形成された外形薄型直方体の箱形形状を呈し、正面部２７と、側部２８と、底部２９とを有している。正面部２７には、昇降ステップ９及び補強支持部１１との干渉を避けるための切欠き部２７ａが形成されている。また、被係止部２６は、弾性的に変形可能とされている。
【００３４】
ステップ支持具２１を主柱材２に取り付ける際には、片板部３の挿通孔３ａに、被係止部２６を挿入して主柱材２に係止させて、かつ、抑え部２４，２５を、それぞれ、主柱材２のそれぞれ片板部４の頂部側の外面及び片板部３の端部を抑えるように主柱材２に嵌め込む。これによって、ステップ支持具２１の側方の変位や、例えば、挿通孔３ａの形成位置の周りの回転変位が抑えられる。なお、ステップ支持具２１は、予め主柱材２に取り付けておいても良いし、作業員がステップ部材５とともに携行して、その都度、主柱材２に取り付けても良い。
【００３５】
この実施の形態の構成によれば、上述した実施の形態１と略同様の効果を得ることができる。加えて、ステップ支持具２１も主柱材２に対して簡単に着脱することができる。したがって、例えば、ステップ部材５とともに携行して、その都度、主柱材２に取り付けることによって、部外者の鉄塔１への昇降を確実に防止することができる。
【００３６】
また、抑え部２４，２５を、それぞれ、主柱材２に嵌め込むことによって、ステップ支持具２１の側方の変位や、例えば、挿通孔３ａの形成位置の周りの回転変位を抑えて、ステップ支持具２１を確実に主柱材２に取り付け、ステップ部材５の変位も抑えることができる。
【００３７】
（実施の形態３）
図１０は、この発明の実施の形態３による昇降ステップ着脱構造の構成を示す分解斜視図である。この実施の形態の構成が上述した実施の形態１の構成と大きく異なるところは、ステップ部材の基板をステップ支持具に対して側方から挿抜可能とした点、及び昇降ステップをコの字形とした点である。
【００３８】
図１０に示すように、この実施の形態のステップ部材３１は、鉄塔１の主柱材２の下部に、ステップ支持具３２を介して着脱自在に取り付けられる。昇降ステップ着脱構造３３は、主柱材２に固定されたステップ支持具３２の収納支持部３９に、ステップ部材３１の基板３４が側方（正面側から見て右方）から挿入可能とされ、かつ、側方へ引抜可能とされることで、ステップ部材３１がステップ支持具３２に対して着脱自在となるように取り付けられるとともに、取り付けられた状態では、収納支持部３９に基板３４が収納されて、例えば、昇降ステップ３５にかかる荷重に抗してステップ部材３１が支持されるように概略構成されている。
【００３９】
ステップ部材３１は、図１０に示すように、例えば、略矩形状の平板からなる基板３４と、基板３４の上部から立設され、例えば棒状部材が外形コの字形（Ｃ形）に成形されてなる昇降ステップ３５と、昇降ステップ３５の先端部位に一端が接合され、ステップ支持具３２に取り付けられた状態で昇降ステップ３５を支持する板状部材からなる補強支持部３６とを有している。ここで、基板３４と昇降ステップ３５、昇降ステップ３５と補強支持部３６の一端とは、例えば溶接等により接合されている。また、補強支持部３６の他端は、基板３４には固定されず、補強支持部３６は、一端側の接合部位の周りに弾性的に若干回動可能なように昇降ステップ３５に接合されている。補強支持部３６の他端部は、ステップ支持具３２に取り付けられた状態では、ステップ支持具３２の溝部４１ｂに差し込まれる。
【００４０】
また、ステップ支持具３２は、主柱材２に固定される固定板３８と、基板３４が収納され、ステップ部材３１を支持する収納支持部３９とが一体化されて、概略構成されている。固定板３８は、上部にボルトＭ１が挿通される挿通孔が形成され、ボルトＭ１の軸部の雄ねじ部とナットＭ２の雌ねじ部との螺合によって締め付けられ、主柱材２に固定される。収納支持部３９は、側部（正面側から見て右側部）に開口が形成された外形薄型直方体の箱形形状を呈し、正面部４１と、側部４２と、底部４３とを有している。正面部４１には、昇降ステップ３５との干渉を避けるための切欠き部４１ａと、補強支持部３６の他端部を差し込むための溝部４１ｂとが形成されている。
【００４１】
この実施の形態の構成によれば、基板３４を収納支持部３９へ挿入して収納するのみで、ステップ部材３１のステップ支持具３２への取付けが完了し、また、基板３４を収納支持部３９から引き抜くのみで、ステップ部材３１のステップ支持具３２からの取外しが完了するため、ボルトやナット等の固定具を用いて締め付けて、固定する必要がなくなるので、簡単かつ迅速にステップ部材３１を着脱することができる。
【００４２】
また、ステップ部材３１が装着されている状態では、正面部４１及び底部４３が、基板３４を抑え、補強支持部３６を介して昇降ステップ３５を抑えるとともに、側部４２が基板３４の側方への変位を規制して、例えば、昇降ステップ３５にかかる荷重に抗して、ステップ部材３１を支持するので、荷重がかかったときに、昇降ステップ３５が傾く等のステップ部材３１の変位を抑えることができ、かつ、ボルトやナット等の固定具を用いないので、取付不具合等を防止することができ、安全性を向上させることができる。
【００４３】
また、部品点数を減らすことができるので、部品の落下等による紛失を防止することができる。また、板状の補強支持部３６を設けて昇降ステップ３５を支持するので、安全強度を一段と向上させることができる。また、コの字形の昇降ステップ３５を設けたので、作業員は、容易にかつ円滑に昇降することができる。
【００４４】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、ステップ部材において、平板状の基板を用いる場合について述べたが、図１１及び図１２に示すように、昇降ステップ５５の根元部に鍔状部５４を設けても良い。この昇降ステップ着脱構造５３において、ステップ部材５１は、鍔状部５４と、棒状部材からなる昇降ステップ５５とを有している。また、ステップ支持具５２は、主柱材２に固定される固定板５７と、鍔状部５４が収納され、ステップ部材５１を支持する収納支持部５８とが一体化されて、概略構成されている。固定板５７は、上部にボルトＭ１が挿通される挿通孔が形成され、挿通孔５７ａと、主柱材２の例えば片板部３に形成された挿通孔３ａとにボルトＭ１が挿通された状態で、ボルトＭ１の軸部の雄ねじ部とナットＭ２の雌ねじ部との螺合によって締め付けられ、主柱材２に固定される。収納支持部５８は、上部に開口が形成された外形薄型直方体の比較的浅い箱形形状を呈し、正面部５９と、側部６１と、底部６２とを有している。正面部５９には、昇降ステップ５５との干渉を避けるための切欠き部５９ａが形成されている。このように、特にステップ部材５１の構成を簡略化し、小型化することで、携帯容易とすることができる。
【００４５】
また、単一の収納支持部を設ける場合について述べたが、複数設けても良い。例えば、一対のＬ字状部材の垂下部位を収納する一対の円筒状の収納支持部をステップ支持具に設けて、布状部材の昇降ステップを一対のＬ字状部材の水平部位間に掛け渡して、折り畳み可能なステップ部材を着脱するようにしても良い。また、布状部材に代えて、紐状部材や帯状部材を用いても良い。また、マンホール等において、地表から下方で作業を行うための昇降ステップにも適用できる。また、ステップ支持具の収納支持部や、ステップ部材の基板の形状は、平板状と限らず、曲面状であっても良く、構造物の曲面状の取付部位にも適用することができる。また、例えば、実施の形態１では、ステップ支持具を、固定具を用いて主柱材に取り付ける場合について述べたが、溶接によって固定しても良い。また、収納支持部において、開口側で角部を滑らかにしてテーパを施すようにしても良い。また、実施の形態２では、溝部４１ｂに代えて、補強支持部３６の端部を受ける突起部を設けるようにしても良い。
【産業上の利用可能性】
【００４６】
ステップ支持具の取付対象として、山形鋼のほか、溝形鋼や、Ｈ形鋼、Ｉ形鋼、Ｚ形鋼、平鋼等にも適用することができる。また、構造物として、鉄塔の主柱材のほか、橋梁や、電柱においても適用できる。
【符号の説明】
【００４７】
１  鉄塔（構造物）
２  主柱材
５，３１，５１  ステップ部材
６，２１，３２，５２  ステップ支持具（ステップ支持手段）
７，３３，５３  昇降ステップ着脱構造（ステップ着脱構造）
８，３４  基板（基体）
９，３５，５５  昇降ステップ（ステップ）
１１，３６  補強支持部
１３，３８，５７  固定板（取付け部）
１４，２３，３９，５８  収納支持部
１５ａ，２７ａ，４１ａ，５９ａ  切欠き部
２２  取付け板（取付け部）
２６  被係止部
５４  鍔状部（基体）
【図１】
2010166645.tif 000003
【図２】
2010166645.tif 000004
【図３】
2010166645.tif 000005
【図４】
2010166645.tif 000006
【図５】
2010166645.tif 000007
【図６】
2010166645.tif 000008
【図７】
2010166645.tif 000009
【図８】
2010166645.tif 000010
【図９】
2010166645.tif 000011
【図１０】
2010166645.tif 000012
【図１１】
2010166645.tif 000013
【図１２】
2010166645.tif 000014